(57)【特許請求の範囲】
【請求項１】
上下方向に傾斜した投入口から投入され前記投入口を下降して自発的に供給される紙葉類を縦方向に細断する一対のカッタローラと、
前記投入口の傾斜方向に沿った延長下方であって前記一対のカッタローラの下方に位置する、回転軸の回りに螺旋状に形成されたスパイラルカッタと、
前記カッタローラで細断された紙葉類が前記一対のカッタローラから送り出されて自発的に供給され前記スパイラルカッタとともに横方向に細断するフラットカッタと、
前記一対のカッタローラと前記スパイラルカッタを回転駆動する回転駆動手段と、
前記スパイラルカッタと前記フラットカッタとによって横方向に細断される紙葉類の横細断幅を制御する横幅制御手段と
を備え、
前記横幅制御手段は、
一対のカッタローラと前記スパイラルカッタの少なくとも一方の回転速度を変更可能に前記回転駆動手段を制御する回転速度制御手段と、
前記一対のカッタローラと前記スパイラルカッタの少なくとも一方の回転速度をランダムに変更するようにプログラムされたデータテーブルと
を備え、
前記回転速度制御手段は、前記データテーブルに基づいて、前記一対のカッタローラと前記スパイラルカッタの少なくとも一方の回転速度を制御可能である
ことを特徴とする紙葉細断装置。
【請求項２】
前記回転駆動手段は、前記一対のカッタローラを回転駆動する第１のモータと前記スパイラルカッタを回転駆動する第２のモータを備え、前記回転速度制御手段は前記第１のモータと前記第２のモータのいずれか一方の回転速度を制御することを特徴とする請求項１に記載の紙葉細断装置。
【請求項３】
前記第１のモータと前記第２のモータのうち、前記回転速度制御手段によって回転速度が制御されるモータは、インバータ駆動されることを特徴とする請求項１に記載の紙葉細断装置。
【請求項４】
前記回転駆動手段は前記一対のカッタローラと前記スパイラルカッタのいずれか一方を回転する駆動モータを有し、
前記回転速度制御手段は、前記駆動モータの駆動力を前記一対のカッタローラと前記スパイラルカッタの他方へ変速して伝達する変速伝達手段を有する
ことを特徴とする請求項１に記載の紙葉細断装置。
【発明の詳細な説明】
【０００１】
【発明の属する技術分野】
本発明は、廃棄書類等を細断する紙葉細断装置（シュレッダ）に係り、特に細断される紙葉類の横細断幅に関する。
【０００２】
【従来の技術】
紙葉細断装置は、廃棄する書類等の機密性を保持するため、この書類等を細断する装置である。
【０００３】
一般的な紙葉細断装置は、縦方向のみに細断する型と、縦方向と横方向との細断を同時にする型と、縦方向に細断した後にさらに横方向に細断する２段型とがある。いずれの型も、細断される紙葉類の細断幅は固定されていた。
【０００４】
細断される紙葉類の細断幅はセキュリティレベルに関係し、高いセキュリティレベルを要する細断幅は細かく細断される必要があり、さほど高くないセキュリティレベルで間に合う場合は細断幅を小さくとる必要がない。
【０００５】
【発明が解決しようとする課題】
従来は一台の紙葉細断装置については細断幅が固定されていたので、必要なセキュリティレベルの高低にかかわらず一律に固定された細断幅で細断しており、細断パワーが低いがセキュリティレベルの高い１台の装置で時間をかけて細断したり、細断パワーが高いがセキュリティレベルが低い装置で細断したりしており、必要なセキュリティレベルに応じて適正に横細断幅を設定することができなかった。
【０００６】
また、複数種類の紙葉細断装置を設置し、オフィスのスペースが足りなくなることがあった。
【０００７】
そこで、本発明の目的は、上記従来技術の有する問題を解消し、必要なセキュリティレベルに応じて細断される紙葉類の横細断幅を設定可能な紙葉細断装置を提供することである。
【０００８】
【課題を解決するための手段】
上記目的を達成するために、本願発明の紙葉細断装置は、投入口から投入された紙葉類を縦方向に細断する一対のカッタローラと、回転軸の回りに螺旋状に形成されたスパイラルカッタと、前記カッタローラで細断された紙葉類が供給され前記スパイラルカッタとともに横方向に細断するフラットカッタと、前記一対のカッタローラと前記スパイラルカッタを回転駆動する回転駆動手段と、前記スパイラルカッタと前記フラットカッタとによって横方向に細断される紙葉類の横細断幅を制御する横幅制御手段とを備えることを特徴とする。
前記横幅制御手段は、一対のカッタローラと前記スパイラルカッタの少なくとも一方の回転速度を変更可能に前記回転駆動手段を制御する回転速度制御手段を備えることを特徴とする。
前記回転駆動手段は、前記一対のカッタローラを回転駆動する第１のモータと前記スパイラルカッタを回転駆動する第２のモータを備え、前記回転速度制御手段は前記第１のモータと前記第２のモータのいずれか一方の回転速度を制御することを特徴とする。
前記第１のモータと前記第２のモータのうち、前記回転速度制御手段によって回転速度が制御されるモータは、インバータ駆動されることを特徴とする。
前記回転駆動手段は前記一対のカッタローラと前記スパイラルカッタのいずれか一方を回転する駆動モータを有し、前記回転速度制御手段は、前記駆動モータの駆動力を前記一対のカッタローラと前記スパイラルカッタの他方へ変速して伝達する変速伝達手段を有することを特徴とする。
前記横幅制御手段は、前記一対のカッタローラと前記スパイラルカッタの少なくとも一方の回転速度をランダムに変更するようにプログラムされたデータテーブルと、前記データテーブルに基づいて、前記一対のカッタローラと前記スパイラルカッタの少なくとも一方の回転速度を制御可能な回転速度制御手段とを備えることを特徴とする。
【０００９】
上述の発明において、横幅制御手段によって横方向に細断される紙葉類の横細断幅を制御可能であるので、一台の紙葉細断装置においてセキュリティレベルに応じて種々の横細断幅を設定することができる。
【００１０】
この場合、回転速度制御手段によって回転駆動手段を制御することにより、一対のカッタローラとスパイラルカッタの少なくとも一方の回転速度を容易に変更することができる。
【００１１】
一対のカッタローラの回転速度を調整することにより、スパイラルカッタとフラットカッタへ供給される紙葉類の供給速度が調整され、スパイラルカッタとフラットカッタとによって横方向に細断される横細断幅が調整される。
【００１２】
スパイラルカッタの回転速度を調整することにより、一対のカッタローラから一定速度で供給される紙葉類を、スパイラルカッタとフラットカッタとによって細断するタイミングが調整される。
【００１３】
また、一対のカッタローラとスパイラルカッタの少なくとも一方の回転速度をランダムに変更するようにプログラムされたデータテーブルに基づいて一対のカッタローラとスパイラルカッタの少なくとも一方の回転速度を制御することにより、紙葉類の横細断幅がランダムに変更されて細断され、一度、細断された紙葉類を寄せ集めて細断前の紙葉類を再現することはほぼ不可能になり、極めて高いセキュリティレベルを獲得することができる。
【００１４】
【発明の実施の形態】
以下に図面を参照して、本発明に係る紙葉細断装置の実施の形態について説明する。
【００１５】
図１に示すように、紙葉細断装置本体１の上面には細断する紙葉類を投入する投入口２が斜めに設けられており、投入口２内部には２個のカッタローラ３，４が噛合するように設けられており、投入口２の後端部が丁度その噛合部に対向するようにされている。図７に示すように、カッタローラ３，４は回転軸５，６に等間隔に円盤状のカッタ刃が取り付けられたものである。
【００１６】
またこれらカッタローラ３，４の噛合部の下方位置には横方向カッタ装置７が設けられている。この横方向カッタ装置７は螺旋状の刃を有するスパイラルカッタ８とフラットカッタ９とから構成されている。図８に示すように、スパイラルカッタ８は軸１０に螺旋状のカッタ刃１１を設けたものである。また、フラットカッタ９は先端部に例えば断面三角形状等の形状のフラットカッタ刃１９を有している。
【００１７】
カッタローラ３，４は、チェーン１２またはギアシステムを介して第１のモータ１３に接続され第１のモータ１３の回転によって駆動される。スパイラルカッタ８は、チェーン１４またはギアシステムを介して第２のモータ１５に接続され第２のモータ１５の回転によってて駆動される。モータ１３，１５は数百ワット程度の出力を有する。
投入口２から紙葉類を投入すると入紙センサがこれを検出してモータ１３，１５が自動的に起動される。これによりカッタローラ３，４およびスパイラルカッタ８が回転する。投入された紙葉類はカッタローラ３，４によって、例えば幅約３ｍｍ〜６ｍｍの線状に縦方向に細断される。線状に細断された紙葉類は横方向カッタ装置７内部に導かれ、さらに横方向に短く断裁される。断裁長さはスパイラルカッタ８の回転数によって規定されるが約１０ｍｍ〜３５ｍｍ程度である。このように細かく断裁された紙葉類（細断屑）は、装置下部に設けられた屑容器１６に落下する。
【００１８】
上述の紙葉細断装置において、本発明では、図１に示すように、スパイラルカッタ８とフラットカッタ９とによって横方向に細断される紙葉類の横細断幅を制御可能な横幅制御手段３０が設けられている。ここで、紙葉類の横細断幅とは、一対のカッタローラ３、４で縦列に細断された紙葉類が縦列とほぼ直行する方向の横列に細断されるときの横方向の細断幅をいう。以下に説明するように、横幅制御手段３０によって、必要とされるセキュリティレベルに応じて紙葉類の横細断幅を設定することが可能になる。
【００１９】
以下に、具体的な実施例について説明する。
図１に示すように、横幅制御手段３０は、回転駆動手段としての第１のモータ１３と第２のモータ１５のいずれか一方のモータの回転速度を可変制御可能な回転速度制御手段３１を備えている。
【００２０】
図１では、回転速度制御手段３１によって第１のモータ１３の回転速度を制御する場合を示している。第１のモータ１３はインバータ駆動される。第２のモータ１５は廉価な通常のモータであり回転速度は一定に設定されている。回転速度制御手段３１は、インバータ駆動される第１のモータ１３のインバータ周波数を制御することにより、第１のモータ１３の回転数を制御する。
【００２１】
第１のモータ１３の回転速度が変わると、一対のカッタローラ３、４によって縦方向に細断された後、紙葉類が横方向カッタ装置７へ供給される供給速度が変わり、横方向カッタ装置７へ供給される供給速度が変わると、スパイラルカッタ８の回転速度は一定に設定されているのでスパイラルカッタ８とフラットカッタ９とによって細断される横細断幅が変わる。
【００２２】
なお、第１のモータ１３をインバータ駆動して可変制御し第２のモータ１５を一定速度で回転駆動する代わりに、第１のモータ１３を一定速度で回転駆動し第２のモータ１５をインバータ駆動して回転速度制御手段３１によって回転速度を可変制御するようにしてもよい。この場合、一対のカッタローラ３、４によって縦方向に細断された後、紙葉類が横方向カッタ装置７へ供給される供給速度は一定であるが、スパイラルカッタ８の回転速度が可変制御されるのでスパイラルカッタ８とフラットカッタ９とによって細断される横細断幅が変わる。
【００２３】
上述の実施例によれば、従来は、２ｍｍまたは３ｍｍの幅の縦列に細断されていただけであったり、あるいは，２ｍｍ×１６ｍｍや３ｍｍ×４０ｍｍと固定された寸法で細断されていたのに対し、上述の実施例によれば、例えば３ｍｍ×（１ｍｍ〜２０ｍｍ）のように細断でき、（１ｍｍ〜２０ｍｍ）の範囲で横方向の細断幅を可変に設定することが可能になる。
【００２４】
次に、図２乃至図５を参照して、他の具体的実施例について説明する。
本実施例では、横幅制御手段３０の回転速度制御手段３１は以下に説明するように、変速手段３７を備えている。前述の実施例は二つのモータ１３、１５を用いていたのに対し、本実施例は一つの第１のモータ１３のみで一対のカッタローラ３、４とスパイラルカッタ８とを駆動するものである。第２のモータ１５は設けられていない。
【００２５】
第１のモータ１３の駆動軸はチェーン１２によってカッタローラ４の回転軸６に連結されている。カッタローラ４の回転軸６とカッタローラ３の回転軸５は反転用ギア３５によって連結されている。また、カッタローラ３の回転軸５とスパイラルカッタ８の回転軸１０の間には、変速手段３７が設けられている。変速手段３７は、スパイラルカッタ８の回転軸１０に装着された変速プーリ３８と、カッタローラ３の回転軸５に装着された変速追従側プーリ３９と、変速プーリ３８と変速追従側プーリ３９とを連結するベルト４０とを備えている。
【００２６】
図４及び図５に、変速手段３７の動作原理を示す。図５に示すように、変速プーリ３８のプーリ間隔を矢印Ａ方向に広狭調整することにより変速追従側プーリ３９のプーリ間隔が矢印Ｂ方向に調整される。変速プーリ３８のプーリ間隔を設定することにより、カッタローラ３の回転速度とスパイラルカッタ８との回転比が設定され、スパイラルカッタ８の回転速度が設定され、紙葉類の横細断幅が設定される。
【００２７】
変速プーリ３８のプーリ間隔は油圧駆動や電動駆動で調整される。例えば、図示しない表示パネルに表示されたセキュリティレベルに応じて図示しない調整スイッチを選択することにより、所望のセキュリティレベルに対応する変速プーリ３８のプーリ間隔調整が設定される。なお、変速プーリ３８のプーリ間隔を油圧駆動や電動駆動で調整する代わりに、図２に示すように、変速プーリ３８に手動ハンドル４１を装着し、手動ハンドル４１を操作することにより変速プーリ３８のプーリ間隔を調整することも可能である。
【００２８】
図４において、ベルト４０はスパイラルカッタ８の回転速度が増速される状態を示し、ベルト４０ａはスパイラルカッタ８の回転速度が減速される状態を示す。
【００２９】
なお、図２に示す例では、第１のモータ１３の駆動力をカッタローラ４に伝達しその後に変速手段３７を介してスパイラルカッタ８の回転速度を調整するようにした場合を示したが、この例に代えて、第１のモータ１３の駆動力をまずスパイラルカッタ８へ伝達し、その後に変速手段によってカッタローラ５へ伝達しカッタローラ４、５の回転速度を調整するようにしてもよい。
【００３０】
次に、本発明のさらに他の具体的実施例を説明する。
本実施例では、横幅制御手段３０の回転速度制御手段３１は、図６に示すように、第１のモータ１３の回転速度を可変制御可能な回転速度制御手段３１と、回転速度ランダムテーブル４２とを備えている。回転速度ランダムテーブル４２は、例えば、乱数発生表を参照して第１のモータ１３の回転速度をランダムに指定する。回転速度ランダムテーブル４２は、第１のモータ１３の駆動に過度な負担を負わせないように、所望のセキュリティレベルを確保可能な範囲でランダムに配列されたデータテーブルであればよい。また、回転速度ランダムテーブル４２は、例えば、一日の間で、ある時間帯はある一定の横細断幅であり、他の時間帯は他の一定の横細断幅であるよにしてもよい。
【００３１】
回転速度ランダムテーブル４２は、時系列的に第１のモータ１３の回転速度をランダムに変更するようにプログラムされたデータテーブルを有する。回転速度制御手段３１は回転速度ランダムテーブル４２を参照し、インバータ駆動される第１のモータ１３の回転速度を制御する。これによって、第１のモータ１３の回転速度がランダムに速度制御される結果、紙葉類の横細断幅は時系列的にランダムに変更される。紙葉類の横細断幅がランダムに変更されて細断されるので、一度、細断された紙葉類を寄せ集めて細断前の紙葉類を再現することはほぼ不可能になり、極めて高いセキュリティレベルを獲得することができる。
【００３２】
なお、上述の実施例の説明においては、カッタローラ３，４とスパイラルカッタ８のいずれか一方の回転速度を可変制御する例を説明したが、カッタローラ３，４とスパイラルカッタ８の両方の回転速度を可変制御してもよく、これにより、さらに高いセキュリティレベルを確保することができる。
【００３３】
また、上述の説明において、紙葉類の横細断幅を制御する横幅制御手段として、回転駆動手段としての第１のモータ１３を回転速度制御手段３１によって制御する例を示したが、本発明はこれに限らず、紙葉類の横細断幅を制御するものであれば、他の手段によるものであってもよい。
【００３４】
【発明の効果】
以上のように、本発明の構成によれば、スパイラルカッタとフラットカッタとによって横方向に細断される紙葉類の横細断幅を制御可能な横幅制御手段を備えているので、一台の紙葉細断装置においてセキュリティレベルに応じて種々の横細断幅を設定することができる。
【００３５】
また、回転速度制御手段によって回転駆動手段を制御することにより、一対のカッタローラとスパイラルカッタの少なくとも一方の回転速度を容易に制御することができる。
【００３６】
また、一対のカッタローラとスパイラルカッタの少なくとも一方の回転速度をランダムに変更するようにプログラムされたデータテーブルに基づいて、一対のカッタローラとスパイラルカッタの少なくとも一方の回転速度を制御することにより、細断された紙葉類を寄せ集めて細断前の紙葉類を再現することはほぼ不可能になり、極めて高いセキュリティレベルを獲得することができる。
【図面の簡単な説明】
【図１】本発明に係る紙葉細断装置の一実施例の上内部を示す図。
【図２】本発明に係る紙葉細断装置の回転速度制御手段変速手段の他の具体例を示す概略構成図。
【図３】図３に対応する断面図。
【図４】スパイラルカッタの回転速度が調整される変速原理を説明する図。
【図５】変速手段の原理を説明する図。
【図６】本発明に係る紙葉細断装置の他の実施例を説明するブロック図。
【図７】一対のカッタローラを示す図。
【図８】スパイラルカッタを示す図。
【符号の説明】
１  紙葉細断装置本体
２  投入口
３、４  カッタローラ
８  スパイラルカッタ
９  フラットカッタ
１２、１４  チェーン
１３  第１のモータ
１５  第２のモータ
３０  横幅制御手段
３１  回転速度制御手段
３７  変速手段
３８  変速プーリ
３９  変速追従側プーリ
４０  ベルト
４１  手動ハンドル
４２  回転速度ランダムテーブル
【図１】
0004338829.tif 000002
【図２】
0004338829.tif 000003
【図３】
0004338829.tif 000004
【図４】
0004338829.tif 000005
【図５】
0004338829.tif 000006
【図６】
0004338829.tif 000007
【図７】
0004338829.tif 000008
【図８】
0004338829.tif 000009